(57)【要約】【課題】光源の明るさ設定に関するユーザの多様な要求に応えることが可能な照明システムおよび明るさ設定方法を提供する。【解決手段】リモコン１の発光部１５は、ダウンボタン１１等の操作部が操作されている間、調光用信号を継続して送信する。調光部２２は、リモコン１から調光用信号を受信した際、調光用信号の継続時間が所定時間（例えば、１秒）未満である場合には、光源２１の明るさを、所定の割合だけ変更し、調光用信号の継続時間が所定時間以上である場合には、調光用信号を受信している間、光源２１の明るさを、所定の割合よりも小さい割合で継続的に変更する。【選択図】図１
2008071521.tif 000002
【特許請求の範囲】
【請求項１】
光源を有する照明器具と、前記光源の明るさを調節するリモコンと、を含む照明システムであって、
前記リモコンは、前記光源の明るさを調節するための操作部と、前記操作部が操作されている間、調光用信号を継続して送信する送信部と、を含み、
前記照明器具は、前記調光用信号を受信した際、前記調光用信号の継続時間が所定時間未満である場合には、前記光源の明るさを、所定の変化幅だけ変更し、前記調光用信号の継続時間が前記所定時間以上である場合には、前記調光用信号の受信が終了するまで、前記光源の明るさを、前記所定の変化幅よりも狭い変化幅で継続的に変更する調光部を、含む、照明システム。
【請求項２】
請求項１に記載の照明システムにおいて、
前記操作部は、前記光源の明るさを上げるためのアップボタンと、前記光源の明るさを下げるためのダウンボタンと、の少なくとも一方を含む、照明システム。
【請求項３】
光源を有する照明器具と、前記光源の明るさを調節するための操作部を有するリモコンと、を含む照明システムが行う明るさ設定方法であって、
前記リモコンが、前記操作部が操作されている間、調光用信号を継続して送信する送信ステップと、
前記照明器具が、前記調光用信号を受信した際、前記調光用信号の継続時間が所定時間未満である場合には、前記光源の明るさを、所定の変化幅だけ変更し、前記調光用信号の継続時間が前記所定時間以上である場合には、前記調光用信号の受信が終了するまで、前記光源の明るさを、前記所定の変化幅よりも狭い変化幅で継続的に変更する調光ステップと、を含む明るさ設定方法。
【請求項４】
請求項３に記載の明るさ設定方法において、
前記操作部は、前記光源の明るさを上げるためのアップボタンと、前記光源の明るさを下げるためのダウンボタンと、の少なくとも一方を含む、明るさ設定方法。
【発明の詳細な説明】
【技術分野】
【０００１】
本発明は、照明システムおよび明るさ設定方法に関し、特には、リモコンによって照明の明るさを調節できる照明システムおよび明るさ設定方法に関する。
【背景技術】
【０００２】
特許文献１（特開平２−１４８５９９号公報）には、リモコンおよび照明器具を備えた照明システムが記載されている。
【０００３】
この照明システムでは、リモコンの明るさ調節用ボタンが単発で操作されると、照明器具は、光源の明るさを１０％だけ変化させ、また、リモコンの明るさ調節用ボタンが連続して操作されると、照明器具は、０．５秒ごとに、光源の明るさを１０％ずつ変化させる。
【特許文献１】特開平２−１４８５９９号公報
【発明の開示】
【発明が解決しようとする課題】
【０００４】
特許文献１に記載の照明システムでは、光源の明るさが段階的（１０％ごと）に調節される。このため、例えば、光源の明るさが１０％未満ごとに段階的に調節される場合より、明るさの調節時間、および、明るさ調節用ボタンの操作時間を短くできる。よって、明るさの調節時間、および、明るさ調節用ボタンの操作時間を短くしたいというユーザの要求には応えることができる。
【０００５】
しかしながら、この照明システムは、光源の明るさをよりきめ細かく調節したいというユーザの要求に応えることができない。
【０００６】
本発明の目的は、光源の明るさ設定に関するユーザの多様な要求に応えることが可能な照明システムおよび明るさ設定方法を提供することである。
【課題を解決するための手段】
【０００７】
上記課題を解決するために、本発明の照明システムは、光源を有する照明器具と、前記光源の明るさを調節するリモコンと、を含む照明システムであって、前記リモコンは、前記光源の明るさを調節するための操作部と、前記操作部が操作されている間、調光用信号を継続して送信する送信部と、を含み、前記照明器具は、前記調光用信号を受信した際、前記調光用信号の継続時間が所定時間未満である場合には、前記光源の明るさを、所定の変化幅だけ変更し、前記調光用信号の継続時間が前記所定時間以上である場合には、前記調光用信号の受信が終了するまで、前記光源の明るさを、前記所定の変化幅よりも狭い変化幅で継続的に変更する調光部を、含む。
【０００８】
また、本発明の明るさ設定方法は、光源を有する照明器具と、前記光源の明るさを調節するための操作部を有するリモコンと、を含む照明システムが行う明るさ設定方法であって、前記リモコンが、前記操作部が操作されている間、調光用信号を継続して送信する送信ステップと、前記照明器具が、前記調光用信号を受信した際、前記調光用信号の継続時間が所定時間未満である場合には、前記光源の明るさを、所定の変化幅だけ変更し、前記調光用信号の継続時間が前記所定時間以上である場合には、前記調光用信号の受信が終了するまで、前記光源の明るさを、前記所定の変化幅よりも狭い変化幅で継続的に変更する調光ステップと、を含む。
【０００９】
上記発明によれば、調光用信号の継続時間に応じて、光源の明るさの変更の仕方が変わる。このため、ユーザは、リモコンの操作部の操作時間を変更することによって、光源の明るさの変更の仕方を選択できる。よって、光源の明るさ設定に関するユーザの多様な要求に応えることが可能になる。
【００１０】
なお、前記操作部は、前記光源の明るさを上げるためのアップボタンと、前記光源の明るさを下げるためのダウンボタンと、の少なくとも一方を含むことが望ましい。
【発明の効果】
【００１１】
本発明によれば、光源の明るさ設定に関するユーザの多様な要求に応えることが可能になる。
【発明を実施するための最良の形態】
【００１２】
以下、本発明の実施例を図面を参照して説明する。
【００１３】
図１は、本発明の一実施例の照明システムを示したブロック図である。
【００１４】
図１において、照明システムは、リモコン１と、照明器具２とを含む。
【００１５】
リモコン１は、ダウンボタン１１と、アップボタン１２と、オン／オフボタン１３と、発光部１５とを含む。ダウンボタン１１と、アップボタン１２と、オン／オフボタン１３とは、操作ボタン群１４に含まれる。照明器具２は、光源２１と、調光部２２とを含む。調光部２２は、駆動回路２２ａと、受光部２２ｂと、調光制御部２２ｃとを含む。
【００１６】
ダウンボタン１１は、光源２１の明るさを調節するための操作部であり、光源２１の明るさを暗くするために操作される。
【００１７】
アップボタン１２は、光源２１の明るさを調節するための操作部であり、光源２１の明るさを明るくするために操作される。
【００１８】
オン／オフボタン１３は、光源２１をオン／オフするために操作される。
【００１９】
発光部１５は、送信部の一例であり、ダウンボタン１１等の操作部が操作されている間、調光用信号を継続して送信する。
【００２０】
具体的には、発光部１５は、ダウンボタン１１が操作されている間、光源２１の明るさをダウンさせるための調光用信号（以下「ダウン信号」と称する。）を赤外線信号で継続して送信し、また、アップボタン１２が操作されている間、光源２１の明るさをアップさせるための調光用信号（以下「アップ信号」と称する。）を赤外線信号で継続して送信する。
【００２１】
光源２１は、例えば、蛍光ランプまたは白熱ランプであり、調光部２２から供給される電力が大きくなるほど、明るい光を出力する。
【００２２】
調光部２２は、リモコン１から調光用信号を受信した際、調光用信号の継続時間が所定時間（例えば、１秒）未満である場合には、光源２１の明るさを、所定の変化幅だけ変更する。
【００２３】
例えば、光源２１が最も明るいときの１００％（以下、単に「１００％」と称する。）の明るさで発光しているときに、ダウン信号の継続時間が所定時間未満であると、調光部２２は、光源２１を最も明るいときの７０％（以下、単に「７０％」と称する。）の明るさに変更する。
【００２４】
また、光源２１が７０％の明るさで発光しているときに、ダウン信号の継続時間が所定時間未満であると、調光部２２は、光源２１を最も明るいときの５０％（以下、単に「５０％」と称する。）の明るさに変更する。
【００２５】
また、光源２１が５０％の明るさで発光しているときに、ダウン信号の継続時間が所定時間未満であると、調光部２２は、光源２１を最も明るいときの３０％（以下、単に「３０％」と称する。）の明るさに変更する。
【００２６】
また、光源２１が３０％の明るさで発光しているときに、アップ信号の継続時間が所定時間未満であると、調光部２２は、光源２１を５０％の明るさに変更する。
【００２７】
また、光源２１が５０％の明るさで発光しているときに、アップ信号の継続時間が所定時間未満であると、調光部２２は、光源２１を７０％の明るさに変更する。
【００２８】
また、光源２１が７０％の明るさで発光しているときに、アップ信号の継続時間が所定時間未満であると、調光部２２は、光源２１を１００％の明るさに変更する。
【００２９】
また、調合部２２は、調光用信号の継続時間が所定時間以上である場合には、調光用信号の受信が終了するまで、光源２１の明るさを、上述した所定の変化幅よりも狭い変化幅で継続的に変更する。
【００３０】
例えば、ダウン信号の継続時間が所定時間になると、調光部２２は、ダウン信号の受信が終了するまで、光源２１の明るさを１％ずつ暗くしていく。
【００３１】
また、アップ信号の継続時間が所定時間になると、調光部２２は、アップ信号の受信が終了するまで、光源２１の明るさを１％ずつ明るくしていく。
【００３２】
駆動回路２２ａは、調光制御部２２ｃによって制御され、交流電源３から光源２１に供給する電力を調節する。
【００３３】
受光部２２ｂは、リモコン１からの調光用信号を受け付ける。受光部２２ｂは、その受け付けた調光用信号を、調光制御部２２ｃに提供する。
【００３４】
調光制御部２２ｃは、受光部２２ｂから調光用信号を受け付けると、その調光用信号の継続時間をカウントする。
【００３５】
調光制御部２２ｃは、調光用信号の継続時間が所定時間未満であると、光源２１の明るさが所定の変化幅だけ変更するように、交流電源３から光源２１に供給される電力を変更する旨の指示を、駆動回路２２ａに提供する。駆動回路２２ａは、その指示に従って、交流電源３から光源２１に供給される電力を変更する。
【００３６】
また、調光制御部２２ｃは、調光用信号の継続時間が所定時間になると、調光用信号の受信が終了するまで、光源２１の明るさがその所定の変化幅よりも狭い変化幅で変更するように、交流電源３から光源２１に供給される電力を変更する旨の指示を、駆動回路２２ａに提供する。駆動回路２２ａは、その指示に従って、交流電源３から光源２１に供給される電力を変更する。
【００３７】
次に、動作を説明する。
【００３８】
なお、以下では、所定時間として１秒を用いる。なお、所定時間は１秒に限らず適宜変更可能である。
【００３９】
ユーザが、ダウンボタン１１を１秒より短い時間の間押すと、発光部１５は、継続時間が１秒未満のダウン信号を送信する。
【００４０】
受光部２２ｂは、継続時間が１秒未満のダウン信号を受信すると、そのダウン信号を調光制御部２２ｃに提供する。
【００４１】
調光制御部２２ｃは、光源２１が１００％の明るさで発光しているときに、継続時間が１秒未満のダウン信号を受け付けると、光源２１の明るさが７０％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを７０％の明るさに変更する。
【００４２】
調光制御部２２ｃは、光源２１が７０％の明るさで発光しているときに、継続時間が１秒未満のダウン信号を受け付けると、光源２１の明るさが５０％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを５０％の明るさに変更する。
【００４３】
調光制御部２２ｃは、光源２１が５０％の明るさで発光しているときに、継続時間が１秒未満のダウン信号を受け付けると、光源２１の明るさが３０％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを３０％の明るさに変更する。
【００４４】
また、ユーザが、アップボタン１２を１秒より短い時間の間押すと、発光部１５は、継続時間が１秒未満のアップ信号を送信する。
【００４５】
受光部２２ｂは、継続時間が１秒未満のアップ信号を受信すると、そのアップ信号を調光制御部２２ｃに提供する。
【００４６】
調光制御部２２ｃは、光源２１が３０％の明るさで発光しているときに、継続時間が１秒未満のアップ信号を受け付けると、光源２１の明るさが５０％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを５０％の明るさに変更する。
【００４７】
調光制御部２２ｃは、光源２１が５０％の明るさで発光しているときに、継続時間が１秒未満のアップ信号を受け付けると、光源２１の明るさが７０％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを７０％の明るさに変更する。
【００４８】
調光制御部２２ｃは、光源２１が７０％の明るさで発光しているときに、継続時間が１秒未満のアップ信号を受け付けると、光源２１の明るさが１００％の明るさに変更するように、交流電源３から光源２１に供給される電力を変更する旨の指示を、駆動回路２２ａに提供する。駆動回路２２ａは、その指示に従って、交流電源３から光源２１に供給される電力を変更して、光源２１の明るさを１００％の明るさに変更する。
【００４９】
また、ユーザがダウンボタン１１を１秒以上押し続けると、発光部１５は、継続時間が１秒以上のダウン信号を送信する。
【００５０】
受光部２２ｂは、継続時間が１秒以上のダウン信号を受信すると、その継続時間が１秒以上のダウン信号を、調光制御部２２ｃに提供する。
【００５１】
調光制御部２２ｃは、ダウン信号の継続時間が１秒になると、ダウン信号の受信が終了するまでの間、光源２１の明るさが１％ずつ暗くなるように、交流電源３から光源２１に供給される電力を変更する旨の指示を、駆動回路２２ａに提供する。
【００５２】
駆動回路２２ａは、その指示に従って、交流電源３から光源２１に供給される電力を変更して、光源２１の明るさを１％ずつ継続的に暗くしていく。
【００５３】
また、ユーザがアップボタン１２を１秒以上押し続けると、発光部１５は、継続時間が１秒以上のアップ信号を送信する。
【００５４】
受光部２２ｂは、継続時間が１秒以上のアップ信号を受信すると、その継続時間が１秒以上のアップ信号を、調光制御部２２ｃに提供する。
【００５５】
調光制御部２２ｃは、アップ信号の継続時間が１秒になると、アップ信号の受信が終了するまでの間、光源２１の明るさが１％ずつ明るくなるように、交流電源３から光源２１に供給される電力を変更する旨の指示を、駆動回路２２ａに提供する。
【００５６】
駆動回路２２ａは、その指示に従って、交流電源３から光源２１に供給される電力を変更して、光源２１の明るさを１％ずつ継続的に明るくしていく。
【００５７】
図２は、アップボタン１２によって光源２１の明るさを段階的に変化させたときの光源２１の明るさの推移の一例を説明するための説明図である。
【００５８】
図３は、アップボタン１２によって光源２１の明るさを連続的（無段階）に変化させたときの光源２１の明るさの推移の一例を説明するための説明図である。
【００５９】
本実施例によれば、調光用信号の継続時間に応じて、光源２１の明るさの変更の仕方が変わる。このため、ユーザは、リモコン１のダウンボタン１１およびアップボタン１２の操作時間を変更することによって、光源２１の明るさの変更の仕方を選択できる。よって、光源の明るさ設定に関するユーザの多様な要求に応えることが可能になる。
【００６０】
以上説明した実施例において、図示した構成は単なる一例であって、本発明はその構成に限定されるものではない。
【００６１】
例えば、所定の変化幅は、上記に限らず適宜変更可能である。
【００６２】
また、リモコン１は、ダウンボタン１１とアップボタン１２との少なくともいずれか一方を有していればよい。
【図面の簡単な説明】
【００６３】
【図１】本発明の一実施例の照明システムを示したブロック図である。
【図２】光源２１の明るさの推移の一例を説明するための説明図である。
【図３】光源２１の明るさの推移の一例を説明するための説明図である。
【符号の説明】
【００６４】
１      リモコン
１１    ダウンボタン
１２    アップボタン
１３    オン／オフボタン
１４    操作ボタン群
１５    発光部
２      照明器具
２１    光源
２２    調光部
２２ａ  駆動回路
２２ｂ  受光部
２２ｃ  調光制御部
３      交流電源
【図１】
2008071521.tif 000003
【図２】
2008071521.tif 000004
【図３】
2008071521.tif 000005